(57)【要約】【課題】  一枚状板金製の均平板を変形して、培土板に切替可能とし、この切替構成、及び操作を簡単で、正確な均平、及び培土成形を行い、軽量化、及び小形化を図る。【解決手段】  耕耘ロータ１の上部を覆う耕耘カバー２の後縁部３に、この耕耘ロータ１によって耕耘される耕耘土壌面を均平する均平板４と、この耕耘ロータ１によって耕耘される耕耘土壌面を溝切り培土する培土板５とに相互に切替え可能の板金製の整地器６を、前記後縁部３に沿って左右横方向の整地ヒンジ７の周りに上下回動可能にして連結した耕耘整地装置の構成とする。【選択図】  図１
2012110304.tif 000002
【特許請求の範囲】
【請求項１】
耕耘ロータ（１）の上部を覆う耕耘カバー（２）の後縁部（３）に、この耕耘ロータ（１）によって耕耘される耕耘土壌面を均平する均平板（４）と、この耕耘ロータ（１）によって耕耘される耕耘土壌面を溝切り培土する培土板（５）とに相互に切替え可能の板金製の整地器（６）を、前記後縁部（３）に沿って左右横方向の整地ヒンジ（７）の周りに上下回動可能にして連結したことを特徴とする耕耘整地装置。
【請求項２】
前記整地器（６）は、上縁（８）幅に対して下縁（９）幅を狭くして、左右両側端の側縁（１０）を逆ハ字状に形成した台形状の溝切板（１１）と、この溝切板（１１）の左右両側縁（１０）部に沿う傾斜ヒンジ（１２）の周りに後側へ回動可能の培土側板（１３）とからなり、前記培土側板（１３）を外側へ開拡して均平板（４）の形態に切替えると、これら溝切板（１１）の下縁（９）とこの左右の培土側板（１３）の下縁（１４）とによって、略左右水平状の均平縁（１５）を形成することを特徴とする請求項１に記載の耕耘整地装置。
【請求項３】
前記溝切板（１１）を弾性を有する板金製として、前記耕耘ロータ（１）の回転後側面に接近させて、略垂直状形態に設けたことを特徴とする請求項１、又は２に記載の耕耘整地装置。
【請求項４】
前記耕耘カバー２の後端部の耕耘幅方向中央部に昇降可能の抵抗棒４０を設け、整地器（６）の後側部に、下端部に尾輪（１６）を有した尾輪フォーク（１７）を昇降可能に設け、これら抵抗棒４０、又は尾輪フォーク１７の昇、降して作業形態に適応することを特徴とする請求項１、２、、又は３に記載の耕耘整地装置。
【請求項５】
前記整地器（６）の溝切板（１１）の後側面に、前記尾輪（１６）を下降したときの、この尾輪フォーク（１７）に設けた押え具（１８）を接当、乃至接近させて培土作業を可能に構成したことを特徴とする請求項１、２、３、又は４に記載の耕耘整地装置。
【発明の詳細な説明】
【技術分野】
【０００１】
この発明は、耕耘機や、管理作業機等の耕耘整地装置に関する。
【背景技術】
【０００２】
ハンドトラクタの耕耘カバーの後端縁部に、ゴム板を取付けて、このゴム板の形態を均平板と、培土板の形態に弾性変形することによって、均平作業と培土作業に切替えて作業する技術（例えば、特許文献１参照）が知られている。
【先行技術文献】
【特許文献】
【０００３】
【特許文献１】特開２００９ー２２５７３１（６頁、図４）。
【発明の概要】
【発明が解決しようとする課題】
【０００４】
一枚状板金製の均平板を変形して、培土板に切替可能とし、この切替構成、及び操作を簡単で、正確な均平、及び培土成形を行い、軽量化、及び小形化を図るものである。
【課題を解決するための手段】
【０００５】
請求項１に記載の発明は、耕耘ロータ１の上部を覆う耕耘カバー２の後縁部３に、この耕耘ロータ１によって耕耘される耕耘土壌面を均平する均平板４と、この耕耘ロータ１によって耕耘される耕耘土壌面を溝切り培土する培土板５とに相互に切替え可能の板金製の整地器６を、前記後縁部３に沿って左右横方向の整地ヒンジ７の周りに上下回動可能にして連結した耕耘整地装置の構成とする。
【０００６】
耕耘ロータ１の回転駆動することによって、この耕耘ロータ１の耕耘爪が土壌面に打込まれて適宜の耕深に耕耘される。この耕耘爪によって耕耘、細砕された耕耘土壌は、上方の耕耘カバー２に案内されて後部に拡散落下されて、適宜厚さの耕耘土壌層として堆積される。このとき、前記整地器６を均平板４として作用するときは、整地ヒンジ７の周りに均平板４が後側上方の均平位置に回動されていて、この均平板４の均平縁１５部で前記耕耘された土壌の上面の均平する。又、この均平板４を培土板５に切替変形して培土作業を行わせるときは、この培土板５を整地ヒンジ７の周りに下方へ回動させ培土位置に設定することにより、前記耕耘土壌をこの培土板５によって溝切り培土成形する。このように、耕耘カバー２の後縁部３に装着した培土器６は、この装着した状態で整地ヒンジ７周りに上下回動して、均平板４と培土板５に相互に切替えて、耕耘ロータ１による耕耘土壌を、均平したり、培土成形する。
【０００７】
請求項２に記載の発明は、前記整地器６は、上縁８幅に対して下縁９幅を狭くして、左右両側端の側縁１０を逆ハ字状に形成した台形状の溝切板１１と、この溝切板１１の左右両側縁１０部に沿う傾斜ヒンジ１２の周りに後側へ回動可能の培土側板１３とからなり、前記培土側板１３を外側へ開拡して均平板４の形態に切替えると、これら溝切板１１の下縁９を左右の培土側板１３の下縁１４を略左右水平状の均平縁１５を形成する。
【０００８】
前記耕耘ロータ１の回転によって耕耘された土壌面を整地する整地器６は、均平板４の形態にしたり、培土板５の形態とするように切替変形して使用することができるが、この主体を構成する台形状の溝切板１１は、上縁８幅に対して下縁９幅を狭くして、この左右両側端の側縁１０に沿う傾斜ヒンジ１２の周りに回動する培土側板１３を設けて、この培土側板１３の左右外方への開拡回動によって前記均平板４の形態とし、又、後側への回動によって前記培土板５の形態として相互に切替えて使用、作業することができる。この均平板４の形態時の均平作用では、前記整地ヒンジ７の周りに上方位置へ回動する溝切板１１の側縁１０には、この傾斜ヒンジ１２の周りに培土側板１３が外方へ開拡した状態にあって、これら溝切板１１の下縁９と培土側板１３の各下縁１４とが略左右水平状に揃った均平縁１５を形成するもので、耕耘ロータ１による耕耘土壌面を幅広く均平する。又、培土板５の形態時の培土（畝立）作用では、前記溝切板１１は整地ヒンジ７の周りに下方位置へ回動して略垂直状態となり、左右外側の培土側板１３は、この溝切板１１の外側部の傾斜ヒンジ１２周りに後側へ回動設定される。この溝切板１１によって左右両側へ分岐される耕耘土壌は、左右両側の培土側板１３によって外側へ押圧されて、この溝切板１１の下縁９通過跡に培土溝底面を形成すると共に、この培土溝底の左右両側面に傾斜の畝法面を形成する。
【０００９】
請求項３に記載の発明は、前記溝切板１１を弾性を有する板金製として、前記耕耘ロータ１の回転後側面に接近させて、略垂直状形態に設ける。
前記溝切板１１は、均平板４としても、培土板５としても、耕耘整地幅の中央部位置にあって、耕耘ロータ１による後方への耕耘土壌の回転飛散、拡散を直接受けながら、この耕耘土壌面を均平成形し、又は培土成形する。又、この溝切板１１は弾性作用す有するため、左右両側の培土側板１３の受ける均平抵抗を吸収緩和しながら、均平縁１５による耕耘土壌面の均平や、培土時の溝切板１１下縁９による培土溝底面の成形、及び側縁１０乃至培土側板１３による培土畝法面の成形等を、これら板金製形態の安定維持される成形型面によってきれいに仕上成形する。又、前記溝切板１１を培土板４として耕耘ロータ１の回転後面に接近させるときは、この耕耘ロータ１の回転によって耕耘されて持ち周りされる耕耘土壌が、この溝切板１１の正面との間に強力に挟持されるように押込まれる状態となるが、このような耕耘土壌の溝切抵抗力を、この溝切板１１の弾性によって吸収緩和して、この下縁９や側縁１０、及び培土側板１３等への歪伝播を少くして、培土成形抵抗を軽減し、きれいな培土成形面を維持する。
【００１０】
請求項４に記載の発明は、前記耕耘カバー２の後端部の耕耘幅方向中央部に昇降可能の抵抗棒４０を設け、整地器６の後側部に、下端部に尾輪１６を有した尾輪フォーク１７を昇降可能に設け、これら抵抗棒４０、又は尾輪フォーク１７の昇、降して作業形態に適応するものである。
【００１１】
前記整地器６を均平板４の形態としたり、培土板５の形態とするときは、尾輪フォーク１７を昇降操作して、この尾輪フォーク１７下端部の尾輪１６を昇降すると共に、抵抗棒４０を昇降操作する。単に路面や、圃場面を移動走行するときは、尾輪フォーク１７を最下位置へ下降して、この尾輪１６を走行地面に接地させて、耕耘ロータ１や培土器６等を浮上させた形態にして走行することができる。耕耘作業を行うときは、前記の尾輪１６を均平板４の上端位置よりも上側に上昇させて、抵抗棒４０は耕耘ロータ１の回転底部近くに下降させた状態にして、耕耘することができる。このとき、均平板４は、自重で耕耘カバー２の後端縁部３の整地ヒンジ７の周りに上下回動自在の状態にあって、この均平板４の後端均平縁１５部で耕耘土壌面を掻き均すことができる。この整地器６を培土板５として培土作業するときは、前記溝切り板１１の左右両側の培土側板１３を傾斜ヒンジ１２の周りに後側へ回動させて培土板５の形態に形成して、整地ヒンジ７の周りに下方回動させて垂下状態に設定する。この状態において前記前側には抵抗棒４０を適宜の位置に下降させるとともに、後側の尾輪フォーク１７により尾輪１６を下降させる。この尾輪１６の下端接地面は、前側の溝切り板１１の下縁９と略同一面に位置させて、培土板５で形成する培土溝の底面を接地して回転するように接地支持させる。前記のように整地器６の上縁部が耕耘カバー２の後縁部３に対して整地ヒンジ７周りに上下回動可能に構成する形態では、尾輪フォーク１７の昇降によって連繋される整地器６は、この整地ヒンジ７周りに上下回動されて昇降され、均平板４による均平作用位置となったり、培土板５による培土作用位置となるものである。なお、この培土板５の形態に切替えたときは、下記のように尾輪フォーク１７を下降することによって、この培土板５の培土姿勢位置を保持することができるが、この尾輪フォーク１７の昇降とは別の形態で保持するように構成することも可能である。又、前記抵抗棒４０が不要な場合は、この抵抗棒４０を高い位置に上昇させた状態にして耕耘作業することができる。
【００１２】
請求項５に記載の発明は、前記整地器６の溝切板１１の後側面に、前記尾輪１６を下降したときの、この尾輪フォーク１７に設けた押え具１８を接当、乃至接近させる。
前記のように尾輪フォーク１７を昇降操作することによって、この尾輪１６を使用しない均平板４の形態の作業時の位置に上昇させたり、この尾輪１６を培土溝底位置に接地させる培土板５の形態５の作業時の位置に下降させて、各整地作業形態に切替えることができる。このとき、培土板５形態の作業位置に下降操作するときは、この尾輪フォーク１７に設けた押え具１８が前記培土板５の中央部の溝切板１１の後側面に接当、乃至接近して、培土作業時にこの溝切板１１が後側へ大きく押移動されるのを受けて停止する。この溝切板１１が、耕耘土壌の耕耘圧力や、溝切り作用を行うときの抵抗を受けて、後側へ揺動したり、逃げるのを防止して、安定した培土作用を維持する。
【発明の効果】
【００１３】
請求項１に記載の発明は、整地器６の均平作業位置と培土作業位置が上下に異なることに基づいて、均平板４と培土板５に相互に切替可能の板金製の整地器６を、整地ヒンジ７を介して耕耘カバー２の後端部３に上下回動可能に連結することによって、均平板４による耕耘土壌面の均平作用を行わせたり、又は培土板５による培土作用を行わせることができ、これら均平板４と培土板５との切替に、取付けや、取外し等の煩雑な操作を行うことなく、共用化して、小形化、軽量化を図る簡単な安価な構成とすることができて、安定した均平作業や培土作業を行うことができ、しかも、均平板４形態と培土板５形態との切替操作を簡単、容易に行うことができる。
【００１４】
請求項２に記載の発明は、前記整地器６を、略台形状の溝切板１１を主体として、この左右両側部には傾斜ヒンジ１２によって前後回動させる培土側板１３を設けて、全体として略一枚状の平板状形態の均平板４を構成したり、この均平板４の形態から、溝切板１１に対して左右両側の培土側板１３を傾斜ヒンジ１２周りに後側へ回動させて培土板５を形成するものであるから、構成を簡単にして、軽量化することができ、特に小形の作業機用としてのハンドトラクタや、管理作業機用としての取扱、装着、及び作業操作の行い易いものである。
【００１５】
又、このような板金製の溝切板１１の下縁９、又は側縁１０によって均平されたり、溝切り分岐培土形成される耕耘土壌面は、正確に、きれいな均平面、培土溝底面、乃至培土畝法面に成形されて、安定した培土成形が行われる。又、この培土板５を押下げる等によって培土位置を深く維持させるときは、この培土板５の剛性及び下縁９側を幅狭くしてクサビ状の形態として形成することによって、培土深さ位置の加減を行い易く、安定した培土作用を維持することができる。
【００１６】
請求項３に記載の発明は、前記のような培土板５は、この溝切板１１を耕耘ロータ１の回転後側面にできるだけ接近させて設定することができるが、この溝切板１１が適宜の弾性を有した板金製としているために、前側の耕耘ロータ１による耕耘土壌の強い押圧力をうけてもこの弾性によって吸収して圧力を緩和させることができ、正面に受ける耕耘土壌を溝切板１１の左右両側の側縁１０側へ分岐移動し易くして、培土板５に対する培土抵抗を低減して、溝切り作用、及び培土作用を正確に、円滑に行わせることができ、作業性、操作性を容易化するものである。
【００１７】
請求項４に記載の発明は、抵抗棒４０を溝切板１１の前側に昇降させたり、尾輪フォーク１７の操作によって尾輪１６をこの溝切板１１の後側に昇降することによって、耕耘ロータ１、及び整地器６による各種作業形態に応じて、簡単、迅速に選択設定することができ、各作業、及びこれらの切替操作を的確に、簡単、容易に行うことができる。特に、前記整地器６のように、耕耘カバー２の後縁部３に対して整地ヒンジ７の周りに上下回動可能に連結して構成する形態にあっては、この昇降回動方向が作業位置と同調する形態であるから、各部の昇降構成、及び操作を簡単、容易にすることができる。
【００１８】
請求項５に記載の発明は、前記ように尾輪フォーク１７の昇降操作によって、尾輪１６を培土板５の後側面に位置させるときは、この尾わフォーク１７の押え具１８を溝切板１１の後側面に接当、乃至接近させることによって、耕耘土壌の溝切培土作用を行うときの抵抗を受けてこの溝切板１１が後側へ揺動したり、歪んで逃げるのを防止して、安定した培土作用を維持することができる。又、この培土板５を培土位置に固定するための特別の取付け構成を不要として、簡潔に、かつ軽量に構成することができる。
【図面の簡単な説明】
【００１９】
【図１】耕耘作業機全体の側面図。
【図２】その整地器の背面図。
【図３】その平面図。
【発明を実施するための形態】
【００２０】
図面に基づいて、ハンドトラクタは、ミッションケース２１の直下に、車輪２２を軸装１９する車輪伝動ケース２３を形成し、この車輪伝動ケース２３の後側に、耕耘ロータ１を軸装する耕耘伝動ケース２４を形成して、伝動ケースを側面視略へ字状形態に構成している。前記車輪伝動ケース２３の前側にフロントブラケット２０を設けて、この上側にエンジン２５を搭載する。このエンジン２５の横側に突出するエンジン軸２６と、前記ミッションケース２１の横側に突出する入力軸２７との各プーリ間に、ベルト２８を掛け渡して、テンションクラッチプーリ２９の圧接によって動力伝動を入り切りできる形態としている。
【００２１】
前記ミッションケース２１の後側上部にはハンドルフレーム３０を設けて、後端に左右一対のハンドル３１や、左右各車輪２２毎の伝動クラッチを入り切りするサイドクラッチレバー３２、車輪２２の伝動クラッチを入り切りする走行クラッチレバー３３、耕耘ロータ１７の伝動クラッチを入り切りする耕耘クラッチレバー３４等を配置している。又、ミッションケース２１の上側には、前記テンションクラッチプーリ２９を操作する主クラッチレバー３５を設けている。
【００２２】
前記耕耘ロータ１は、耕耘伝動ケース２４の下端部に軸装する耕耘軸３６に耕耘爪３７を配置して、この耕耘爪３７の回転によって、土壌を適宜の深さに耕耘しながら細土状態にして、上側の耕耘カバー２の内周面に案内させて後側へ耕耘移動し堆積するように耕耘することができる。前記耕耘カバー２は、耕耘伝動ケース２４に取付けられて、この耕耘ロータ１の回転上周面を覆う。この耕耘カバー２の後縁部３は、耕耘ロータ１の回転後端周縁部よりも若干後側へ突出させて、整地器６を連結する整地ヒンジ７を設け、整地器６は、この整地ヒンジ７の周りに上下回動自在にして装着される。
【００２３】
前記整地器６は、左右横方向の中央部に位置する逆台形状の溝切板１１と、この左右両側部に連結される台形状の培土側板１３とから構成される。この溝切板１１は、上縁８と下縁９を平行状に形成して、上縁８幅に対して下縁９幅を狭く形成している。この溝切板１１の左右両側端に形成される側縁１０は、逆八字状形態に形成されて、この側縁１０に沿って傾斜ヒンジ１２が設けられる。この溝切板１１の左右外側部に、培土側板１３を設けて、前記傾斜ヒンジ１２の周りに後側へ回動させることができ、これら溝切板１１と培土側板１３との後側面間にわたって拡縮リンク３８で連結し、この拡縮リンク３８の長さを変更して培土側板１３の後退角度を変更設定することができる。
【００２４】
これら溝切板１１と、この左右両側に連結される培土側板１３とによって構成される均平板４の形態は、全体として左右横方向に長方形の板状形態で、特に、溝切板１１の下縁９と、培土側板１３の下縁１４とは、左右方向一直線状に形成される。又、この下縁９、１４に沿って波形状の成形縁を形成する形態にあっては、この成形縁が左右方向一直線状に沿うように形成される。
【００２５】
このような均平板４の形態から、拡縮リンク３８の開度を縮小することによって、左右の培土側板１３を傾斜ヒンジ１２の周りに後側へ回動させて培土板５の形態とすることによって、この培土板５の下縁１４が、溝切板１１の左右両端部から上り傾斜の状態となって、この溝切板１１の下縁９で形成される培土溝の底面から上方へ後退するように形成されて、培土抵抗を軽減する状態となる。
【００２６】
前記溝切板１１の中央部には、前端縁を三角頂縁に尖らせた培土縁３９を形成して、溝切り、乃至培土作用が行われ易い形態としている。この溝切板１１の下部後側面にウエイトボード４０を着脱自在に取付け、又は溶接等により一体的に固着して、この溝切板１１の下半部の剛性を高め、溝切板１１のウエイトとして自重を増して、溝切作用を安定させるように構成している。
【００２７】
このように板金製で形成される均平板４、及び培土板５は、下縁９、１４や、側縁１０等を剛性高く形成することができ、又、溝切板１１の側縁１０や、培土側板１３が、この傾斜ヒンジ１２によって補強されて、耕耘土壌面の均平面や、培土溝底面、乃至培土畝法面等の成形をきれいに、正確に仕上げ成形することができる。
【００２８】
前記整地器６の後側部には、尾輪１６を昇降する尾輪フォーク１７を設け、前側部には抵抗棒４０の昇降可能に設ける。前記耕耘カバー２後端部に抵抗棒４０の昇降できるソケット４１を設け、このソケット４１から後方へ突出するブラケット４２の後端にフォークソケット４３を設けて、このフォークソケット４３に尾輪フォーク１７を昇降可能に嵌挿支持させている。又、これらソケット４１に対する抵抗棒４０の昇降摺動や、フォークソケット４３に対する尾輪フォーク１７の昇降摺動等は、これらの嵌合摺動部間のピン穴にわたって抜き差しするセットピン（図面省略）によって係止することができる。
【００２９】
前記抵抗棒４０は、耕耘ロータ１の中央部で左右両側の回転する耕耘爪３７の間隔部に位置して、昇降可能に設けられ、後側下りの傾斜に向けて下降する形態に構成される。前記培土板５は、この耕耘ロータ１の回転後側面、及び抵抗棒４０の後側部に接近した位置に、溝切板１１が垂下状態となるように構成する。培土板５による培土作業を行う場合等において、抵抗棒４０を不要とする場合は、この抵抗棒４０を最上位置、乃至耕耘ロータ１の回転底面位置よりも適宜上位置に上昇し、固定させておくことができる。
【００３０】
前記尾輪フォーク１７の下部には、ベルクランク状に形成した押え具１８の一端辺部４４を取付けて、この尾輪フォーク１７の昇降によって押え具１８を昇降させるとともに、この尾輪フォーク１７を下降させたときは、尾輪１６を溝切板５の下縁９より形成される培土溝の底面に接地させると共に、この押え具１８の他端辺部４５を溝切板５の後側面に接近させる構成とする。
【００３１】
前記整地器６を均平板４として、耕耘土壌面を均平するときは、尾輪フォーク１７を上昇位置にして尾輪１６の位置を上限位置に固定させるが、又は上下動自在の状態にする。これの状態で耕耘ロータ１による耕耘作業を行うと、この土壌面上に均平板４が押上げられて、この均平板４の後端下面が土壌面に押圧されて、均平作用が行われる。
【００３２】
このとき尾輪１６が上下動自在の状態であるときは、均平板４に常時尾輪１６の押圧力が働いて、鎮圧均平を効果的に行うことができる。
又、整地器６を培土板５として、耕耘土壌を溝切り培土するときは、培土板５は培土ヒンジ７の周りに下方垂直状態に回動垂下して、溝切板１１が耕耘ロータ１の回転後側面に接近して培土姿勢となると共に、尾輪１６を培土溝底面に接する位置まで下降する。このとき尾輪フォーク１７の前側に位置する押え具１８の前端辺部４５が溝切板１１の後面に接近する。そして、この培土板５の溝切板１１が培土抵抗によって後側へ押されたり、歪むと、この溝切板１１の後面を押え具１８を介して尾輪フォーク１７で支持して、培土板５による培土作用を安定維持させるものである。
【符号の説明】
【００３３】
１    耕耘ロータ
２    耕耘カバー
３    後縁部
４    均平板
５    培土板
６    整地器
７    整地ヒンジ
８    上縁
９    下縁
１０    側縁
１１    溝切板
１２    傾斜ヒンジ
１３    培土側板
１４    下縁
１５    均平縁
１６    尾輪
１７    尾輪フォーク
１８    押え具
４０    抵抗棒
【図１】
2012110304.tif 000003
【図２】
2012110304.tif 000004
【図３】
2012110304.tif 000005